(57)【要約】【課題】ボタン装置を提供する。【解決手段】本発明のボタン装置は、ボタンを有する衣類上に取り付けることができ、それは、主嵌合体と、副嵌合体を含み、主嵌合体は、その一側にクリップ部材を有し、その一端が主嵌合体に接続し、他端が主嵌合体に弾性的に離脱又は接近し、また、該クリップ部材の一端の外側面に更に接合部材を設け、副嵌合体は、衣類上に取り付けられ、主嵌合体と組み付けられ、また、該副嵌合体は、接合部材に対応して、互いに接合する組み付け部材を設け、また、該副嵌合体の組み付け部材を設ける相反側に固定部材を設け、該固定部材の一端は、副嵌合体に接続し、他端は、副嵌合体に弾性的に離脱又は接近し、主嵌合体及び副嵌合体を衣類上に取り付け、接合部材により組み付け部材と相互に組み付け、衣類の装着を管制し、衣類全体に完全な美観性をもたせる。【選択図】図１
2016002452.tif 000002
【特許請求の範囲】
【請求項１】
ボタンを有する衣類上に取り付けることができ、主嵌合体と、副嵌合体を含み、
前記主嵌合体は、一側にクリップ部材を有し、その一端が前記主嵌合体に接続し、他端が前記主嵌合体に弾性的に離脱又は接近し、また、該クリップ部材の前記主嵌合体に接続しない一端の外側面に更に接合部材を設け、
前記副嵌合体は、衣類上に取り付けられ、前記主嵌合体と組み付けられ、且つ該前記副嵌合体の設置位置は、衣類上にあり、前記主嵌合体と対応する高さであり、該前記副嵌合体は、該接合部材に対応して、互いに接合する組み付け部材を設け、また、該前記副嵌合体の該組み付け部材を設ける相反側に固定部材を設け、該固定部材の一端は、前記副嵌合体に接続し、他端は、前記副嵌合体に弾性的に離脱又は接近し、
そのうち、前記主嵌合体及び前記副嵌合体を衣類上に取り付け、該接合部材により該組み付け部材と相互に組み付け、衣類の装着を管制し、衣類全体に完全な美観性をもたせ、時間と体力を節約する効果及び目的を達成するボタン装置。
【請求項２】
前記前記主嵌合体の外周一側に表示器を取り付け、且つ該表示器は、該クリップ部材と相反する側に設置され、該前記主嵌合体内部にデータベースを内蔵し、該表示器と電気接続し、また、該前記主嵌合体内部に電源供給部材を設け、該表示器と電気接続し、該データベース内に複数のボタン様式のデータリソースを内蔵し、且つ該表示器は、データベースが内蔵するデータリソースを表示し、衣類のボタン様式に対応符合させる請求項１に記載のボタン装置。
【請求項３】
更に、該前記副嵌合体内部に電力部材を取り付け、該接合部材及び該組み付け部材は、電力部材の設置に合わせて正、負電力となり、該クリップ部材の該接合部材及び前記副嵌合体の組み立て部材の電気結合が電力部材の電力を該表示器に給電使用させる請求項２に記載のボタン装置。
【請求項４】
更に、前記主嵌合体に該表示器の一側に入力部材を取り付け、該入力部材は、該表示器と隣り合わせに設置され、且つ撮像機能を有する撮影機であり、該入力部材は、データベースと電気接続し、また、該入力部材は、衣類上のボタンの様式を撮像入力し、データベース内に保存して使用し、また、該入力部材は、マイクロフォン又はＣＭＯＳ集積設定回路であることができる請求項２に記載のボタン装置。
【請求項５】
更に、前記主嵌合体内部且つ該表示器の周側は、電源供給部材と電気接続するバックライド部材を設け、該バックライト部材は、ＬＥＤ又はＯＬＥＤであり、該バックライト部材は、照明に用い、該表示器が表示するボタンの様式を突出させる請求項２に記載のボタン装置。
【請求項６】
更に、主嵌合体内部且つ表示器の周側は、バックライト部材を設け、該バックライト部材及び組み付け部材は、正、負電極であり、且つ組み付けられる時、該電力部材の電力が該バックライト部材に伝送して給電使用される請求項２に記載のボタン装置。
【発明の詳細な説明】
【技術分野】
【０００１】
本発明は、ボタン装置に関し、特に、服飾関連用品の分野に応用され、その特徴は、使用者に衣類上のボタンが脱落して遺失した後、電子表示方式で以前のボタンの様式を模擬して交替待ちをさせることにあり、これにより、装着上の整ったバランスを維持させ、実用性が極めて良好な発明となっている。
【背景技術】
【０００２】
現在人々は、衣食住において、物質の享受が絶妙であることを追及し、特に、衣類関連製品において、更に細かく比較し、衣類のタイプは、非常に多く、身体に装着して身体を遮蔽する衣服は、シャツ、Ｔシャツ、洋服、スカート、ジーンズ等、多種の形態の衣類が使用者により任意に組み合わせられ、また、衣類は、異なる場所、用途により、レインコート、コート、靴等に延伸し、これらの華やかな衣類において、多くのタイプの衣類は、細やかな付属部材があり、そのうち、シャツを例として説明すれば、図９に示すように、一般のシャツ７は、２つの手腕に装着させる袖部７１、及び身体を遮蔽する主体部７２を有し、且つ主体部７２は、使用者の身体を入らせる切れ目７３を有し、該切れ目７３の一側に複数の間隔をおいて設置されるボタン８を縫い付け、また、切れ目７３の他側且つ各ボタン８に対応する箇所に複数の間隔をおいて設置されるボタンホール８１を設け、使用者にただ身体及び２つの手腕を切れ目７１から進入させ、主体部７２と２つの袖部７１に通した後に各ボタン８及び対応するボタンホール８１を相互に嵌合するだけで、シャツを身体に装着し、身体を遮蔽することができる。
【０００３】
衣類の着合わせによって、使用者に異なるスタイリングの変化をもたせる以外、更に、身体を遮蔽し、過度な露出で視覚的インパクトを与えないようにすることができるが、上記のように、ボタン及びボタンホールの組み合わせにより、遮蔽効果を達成するシャツにとって、大部分のボタンは、ミシンで衣類上に縫い付けられ、ボタンが外力の引っ張りを受けて脱落し易く、また、ボタンは、体積が小さい物品に属し、脱落後に探し出すことが難しく、遺失を招き、このように、使用者が衣服、シャツが整わず、他人の視覚上の美観度に影響を及ぼす。また、一般のシャツは、何れも予備のボタンを衣服の隅又は内側面に縫い付けてあるが、外にいて裁縫ケースを携帯していない時、予備のボタンを交換使用することができず、これだけではなく、簡単なボタン更換は、衣服全体の美観に影響を及ぼす。
【０００４】
上記では、ボタンを有するシャツを例として挙げているが、シャツのみに限らず、中華民国特許公告第Ｍ３３１８８７号『上半身衣類式買い物袋』を参照し、それは、袋体構造を有し、この袋体構造は、袋体を含み、袋体は、上部開口及び下部開口を有し、その上部開口が物品を入れさせる開放通路を提供し、衣類の襟口を形成し、その下部開口は、密閉可能な開口であり、この密閉可能な開口は、衣類の下方開口を形成することができる。この袋体上部は、把手構造を有し、それは、袋体上部の両側に設けられ、対称方式で延伸し、また、接続部を本構造に設置し、本構造に衣類の袖を形成させることができる。買い物袋を使用する時、袋体の底部の密閉可能な開口及び袋体の上部の接続部を開き、使用者の衣類とすることができ、利便性及び実用性を増加することができる。『上半身衣類式買い物袋』が挙げる案件の図４に示すように、ボタンの脱落、遺失の場合、この衣類は、買い物袋を組み立て形成し、物品を入れることができず、従って、多くのボタンの利用を必要とする衣服において、関連業者は、如何に改良し、ボタン脱落後に遺失しないかという問題を慎重に思考する必要がある。
【０００５】
上記状況に鑑み、本発明者は、多くの時間を関連知識の研究に注ぎ、各項優劣を比較し、関連製品の研究及び開発を行い、多数回の実験及び試験を経て、ようやく『ボタン装置』を開発し、上記欠陥を改善し、大衆が使用を必要とするものに適合させている。
【先行技術文献】
【特許文献】
【０００６】
【特許文献１】特開２００１−３２７３０７号公報
【発明の概要】
【発明が解決しようとする課題】
【０００７】
本発明の目的は、使用者の身体上の衣類のボタンが脱落遺失した場合、別途ボタンに近似する装置により元のボタンの様式を模擬し、これにより衣類全体の見た感じのバランスを一致させ、且つ過度に露出させないようすることである。
【課題を解決するための手段】
【０００８】
本発明のボタン装置は、ボタンを有する衣類上に取り付けることができ、それは、主嵌合体と、副嵌合体を含み、主嵌合体は、その一側にクリップ部材を有し、その一端が主嵌合体に接続し、他端が主嵌合体に弾性的に離脱又は接近し、また、該クリップ部材の主嵌合体に接続しない一端の外側面に更に接合部材を設け、副嵌合体は、衣類上に取り付けられ、主嵌合体と組み付けられ、且つ該副嵌合体の設置位置は、衣類上にあり、主嵌合体と対応する高さであり、また、該副嵌合体は、接合部材に対応して、互いに接合する組み付け部材を設け、また、該副嵌合体の組み付け部材を設ける相反側に固定部材を設け、該固定部材の一端は、副嵌合体に接続し、他端は、副嵌合体に弾性的に離脱又は接近し、そのうち、主嵌合体及び副嵌合体を衣類上に取り付け、接合部材により組み付け部材と相互に組み付け、衣類の装着を管制し、衣類全体に完全な美観性をもたせ、時間と体力を節約する効果及び目的を達成する。
【０００９】
本発明の更なる技術特徴は、以下にある。該主嵌合体の外周一側に表示器を取り付け、且つ該表示器は、クリップ部材と相反する側に設置され、該主嵌合体内部にデータベースを内蔵し、表示器と電気接続し、また、該主嵌合体内部に電源供給部材を設け、表示器と電気接続し、該データベース内に複数のボタン様式のデータリソースを内蔵し、且つ該表示器は、データベースが内蔵するデータリソースを表示し、衣類のボタン様式に対応符合させる。
【００１０】
本発明の更なる技術特徴は、以下にある。更に、該副嵌合体内部に電力部材を取り付け、該接合部材及び組み付け部材は、電力部材の設置に合わせて正、負電力となり、該クリップ部材の接合部材及び副嵌合体の組み立て部材の電気結合が電力部材の電力を表示器に給電使用させる。
【００１１】
本発明の更なる技術特徴は、以下にある。更に、主嵌合体に表示器の一側に入力部材を取り付け、該入力部材は、表示器と隣り合わせに設置され、且つ撮像機能を有する撮影機であり、該入力部材は、データベースと電気接続し、また、該入力部材は、衣類上のボタンの様式を撮像入力し、データベース内に保存して使用し、また、該入力部材は、マイクロフォン又はＣＭＯＳ集積設定回路であることができる。
【００１２】
本発明の更なる技術特徴は、以下にある。更に、主嵌合体内部且つ表示器の周側は、電源供給部材と電気接続するバックライド部材を設け、該バックライト部材は、ＬＥＤ又はＯＬＥＤであり、該バックライト部材は、照明に用い、表示器が表示するボタンの様式を突出させる。
【００１３】
本発明の更なる技術特徴は、以下にある。更に、主嵌合体内部且つ表示器の周側は、バックライト部材を設け、該バックライト部材及び組み付け部材は、正、負電極であり、且つ組み付けられる時、該電力部材の電力がバックライト部材に伝送して給電使用される。
【発明の効果】
【００１４】
本発明のボタン装置は、ボタンを有する衣類上に取り付けることができ、それは、主嵌合体と、副嵌合体を含み、主嵌合体は、その一側にクリップ部材を有し、その一端が主嵌合体に接続し、他端が主嵌合体に弾性的に離脱又は接近し、また、該クリップ部材の一端の外側面に更に接合部材を設け、副嵌合体は、衣類上に取り付けられ、主嵌合体と組み付けられ、また、該副嵌合体は、接合部材に対応して、互いに接合する組み付け部材を設け、また、該副嵌合体の組み付け部材を設ける相反側に固定部材を設け、該固定部材の一端は、副嵌合体に接続し、他端は、副嵌合体に弾性的に離脱又は接近し、主嵌合体及び副嵌合体を衣類上に取り付け、接合部材により組み付け部材と相互に組み付け、衣類の装着を管制し、衣類全体に完全な美観性をもたせる。
【図面の簡単な説明】
【００１５】
【図１】本発明のブロック説明図である。
【図２】本発明の分解立体説明図である。
【図３】本発明の他の視角の分解立体説明図である。
【図４】本発明の主嵌合体及び副嵌合体が衣類に組み付けられた分解側面図である。
【図５】本発明の主嵌合体及び副嵌合体が衣類に組み付けられた後に相互に組み合わせられた側面図である。
【図６】本発明の主嵌合体及び副嵌合体が衣類に組み付けられた後の立体説明図である。
【図７】本発明の主嵌合体及び副嵌合体が組み合わせられ、衣類の両側の襟を相互に重なり合わせた立体説明図である。
【図８】図７の局部拡大説明図である。
【図９】従来のシャツの立体説明図である。
【発明を実施するための形態】
【００１６】
本発明の上記及びその他の目的、特徴及び利点を更に分かり易くする為、以下に実施例を挙げ、図面に合わせて詳細を説明する。図１〜図５に示すように、本発明が提供するボタン装置は、ボタンを有する衣類上に取り付けることができ、主嵌合体１と、副嵌合体４を含み、主嵌合体１は、その形態は、図１において、円片状を好適として呈現し、それは、一側にクリップ部材２を有し、その一端が主嵌合体１に接続し、他端が主嵌合体１に弾性的に離脱又は接近し、また、該クリップ部材２の主嵌合体１に接続しない一端の外側面に更に接合部材３を設け、副嵌合体４は、衣類上に取り付けられ、主嵌合体１と組み付けられ、且つ該副嵌合体４の設置位置は、衣類上にあり、主嵌合体１と対応する高さであり、また、該副嵌合体４は、接合部材３に対応して、互いに接合する組み付け部材４１を設け、また、該副嵌合体４の組み付け部材４１を設ける相反側に固定部材４２を設け、該固定部材４２の一端は、副嵌合体４に接続し、他端は、副嵌合体４に弾性的に離脱又は接近し、そのうち、主嵌合体１及び副嵌合体４を衣類上に取り付け、接合部材３により組み付け部材４１と相互に組み付け、衣類の装着を管制し、衣類全体に完全な美観性をもたせ、時間と体力を節約する効果及び目的を達成する。
【００１７】
一般に外出時の身体上の衣類は、身体を遮蔽する以外に、特に、正式な場面では、更に尊重を表すものであり、従って、最もタブーであるのは、衣服が整っていないことであり、例えば、正式な国際会議等では、大部分の人がシャツ７によりスーツを合わせて装着し、また、シャツ７の装着は、ネクタイの装飾を合わせる必要があり、往々にしてシャツ７は、最上端のボタン８をとめて初めてネクタイを首付近まで引っ張ることができるが、シャツ７の最上端のボタン８をとめる場合、頸が過度にきつく縛られ、ボタンを崩壊させ、ボタン８が弾け飛んで遺失を招き、また、外出では、在宅時のように便利でなく、随時、裁縫用具を有してはおらず、このように、即座にボタン８を縫って補うことができない失態を招き、この為、本発明は、この時に応用する最適な装置であり、使用者は、主嵌合体１及び副嵌合体４をそれぞれクリップ部材２、固定部材４２により衣服の襟の両側に組み付けられ、且つ組み付け位置は、同じ高さであり、互いに対応する必要があり、クリップ部材２及び固定部材４２の組み付けは、弾性挟持方式で衣服上に組み付けられ、続いて、衣服の両側の襟を相互に接近させて副嵌合体４を主嵌合体１下方に重ね合わせ、組み付け部材４１により主嵌合体１の接合部材３と相互の組み合わせ、これにより、衣服の装着を完成し、使用者の衣服を見た感じ比較的高い完全性をもたせる。
【００１８】
本発明は、主嵌合体１の本体を利用して迅速に一般のボタンを充当する以外に、更に、該主嵌合体１の外周一側に主嵌合体１の表面と揃って設けられる表示器１１を取り付け、該表示器１１は、クリップ部材２に相反し、該主嵌合体１内部にデータベース１２を内蔵し、表示器１１と電気接続し、また、外主嵌合体１内部に電源供給部材１３を設け、表示器１１と電気接続し、該データベース１２内に複数のボタン様式を有するデータリソース１２１を内蔵し、該表示器１１は、データベース１２が内蔵するデータリソース１２１を表示し、衣服のボタンに対応符合させ、従って、使用者が主嵌合体１及び副嵌合体４の相互の組み合わせを完成した後、表示器１１によりデータベース１２内のデータリソース１２１（このデータリソース１２１は、ボタンの各種様式である）を読み取り、表示することができ、全ての衣服のボタンを統一させ、一致性を表現させ、図３〜図５に示すようである。
【００１９】
上記の説明に基づき、本発明は、主嵌合体１及び副嵌合体４の各部位の詳細な特徴において、主嵌合体１の接合部材３及び副嵌合体４の組み付け部材４１が磁石、マジックテープ、雄雌フック又は正、負電極であり、そのうち、正、負電極を例とし、図５に示すように、該副嵌合体４内部に電力部材４３を取り付け、主嵌合体１及び副嵌合体４が接合部材３、組み付け部材４１により相互に組み付けられる時、正、負電極の導電性特性により、電力部材の４３の電力を接合部材３と組み付け部材４１の導通によって電力を主嵌合体１の表示器１１に伝導し、更に、電力を表示器１１に提供して使用させる。このほか、主嵌合体１内に位置する電源供給部材１３は、同様に表示器１１に電力を供給して使用させることができ、故に副嵌合体４内の電力部材４３及び主嵌合体１内の電源供給部材１３は、表示器１１に交替で電力を供給することができ、表示器１１がボタンの様式を呈現することができなくなることを確実に回避する。
【００２０】
また、主嵌合体１のデータベース１２内に内容するデータリソース１２１が不十分である場合、即ち、ボタンの様式が不足する時、衣服全体の瑕疵を招き易く、この為、本発明は、主嵌合体１の表示器１１を設ける一側に入力部材５を設け、該入力部材５は、表示器１１と隣り合って設置され、データベース１２と無線又は有線で電気接続し（本発明の入力部材５が設置する位置は、主嵌合体１の周側であることができ、表示器１１と同一側であり、その位置を制限するものではない）、本発明の入力部材５の設置形態は、数種に分けることができ、そのうち、入力部材５が撮像機である時、使用者は、先ず、入力部材５を利用して自身のボタンの様式を撮影し、データをデータベース１２中に保存し、最後に表示器１１によって撮影したボタンデータを表示し、衣類の完全性を維持することができ、図５に示すようである。また、該入力部材５は、上記に説明する撮像機以外に、その入力部材５は、マイクロフォン又はＣＭＯＳ集積設定回路であることができ、そのうち、マイクロフォンの設計では、その主機能は、使用者に音声制御の方式で表示器１１がボタンの様式を表示する及び録音する（図示せず）よう制御させることにある。ＣＭＯＳ集積設定回路は、使用者に先ず、ボタンの様式を設定させ、制御方式によりボタンが表示器１１上に表示する様式を選択する（図示せず）。
【００２１】
また、最も提示すべきこととして、主嵌合体１内部且つ表示器１１の周側に更にバックライト部材６を設け、該バックライト部材６は、電源供給部材１３と電気接続し、且つ該バックライト部材６は、複数のＬＥＤ又はＯＬＥＤにより構成され、且つ該バックライト部材６は、巻き付け方式で表示器１１の周期に設置され、該バックライト部材６の設置は、表示器１１が表示するボタンの様式を突出させ、照明する。また、バックライト部材６は、前記主嵌合体１の接合部材３、副嵌合体４の組み付け部材４１を正、負電極として組み付ける時、副嵌合体４４内の電力部材４３の電力をバックライト部材６に伝導して使用させ、電源供給部材１３及び電力部材４３の電力供給によってバックライト部材６の発光照明を安定させ、図５及び図７、図８に示すとおりである。
【００２２】
本発明は、クリップ部材２及び固定部材４２の設計において、最も主要な特徴は、使用者に安定して主嵌合体１及び副嵌合体４を衣服上に組み付けさせることにあり、これにより、該クリップ部材２及び固定部材４２は、Ｌ形の弾性挟持具、相互に磁性吸引可能な磁石、フック針、クリップ、挟持具又はイヤリング式のピアスであることができ、これらのタイプの設計により使用者に衣服上に安定して組み付けさせることができ、本発明のクリップ部材２及び固定部材４２は、上記を例として説明したが、その種類を制限することに用いるものではない。
【符号の説明】
【００２３】
（本発明）
１  主嵌合体
１１  表示器
１２  データベース
１２１  データリソース
１３  電源供給部材
２  クリップ部材
３  接合部材
４  副嵌合体
４１  組み付け部材
４２  固定部材
４３  電力部材
５  入力部材
６  バックライト部材
（従来技術）
７  シャツ
７１  袖部  
７２  主体部
７３  切れ目
８  ボタン
８１  ボタンホール
【図１】
2016002452.tif 000003
【図２】
2016002452.tif 000004
【図３】
2016002452.tif 000005
【図４】
2016002452.tif 000006
【図５】
2016002452.tif 000007
【図６】
2016002452.tif 000008
【図７】
2016002452.tif 000009
【図８】
2016002452.tif 000010
【図９】
2016002452.tif 000011